(57)【要約】【課題】  非通話機能が起動している電話端末への着信に対して主装置が自動応答し、電話端末の非通話機能を中止させない機能を有する主装置と電話端末を提供する。【解決手段】  主装置２０に帰属する電話端末の非通話機能が動作している間に着信があった場合に、着信動作制御部２２１は、当該端末の状態が自動応答機能登録手段に登録された機能が動作している状態であるか否かを判定し、登録された機能が動作している状態であると判定したならば、自動応答制御部を自動的に起動し、自動応答制御部は、当該着信に自動応答すると共に、予め登録されている音声メッセージを送信または相手からの音声を録音する。【選択図】  図２
2010041456.tif 000002
【特許請求の範囲】
【請求項１】
外線及び内線を収容し電話の呼を制御する主装置において、
前記内線に繋がる電話端末から非通話機能が起動状態の情報を受信する非通話機能受信手段と、前記非通話機能の動作状態に応じて着信動作を制御する着信動作制御手段と、着信に自動応答する自動応答手段と、前記自動応答手段を起動すべき前記非通話機能を登録する自動応答起動機能登録手段とを有し、
前記非通話機能が起動している電話端末への着信があった場合に、前記着信動作制御手段は、当該電話端末の状態が前記自動応答起動機能登録手段に登録された非通話機能が起動している状態であるか否かを判定し、前記登録された機能が起動している状態であると判定したならば、前記自動応答制御手段を自動的に起動し、
前記自動応答制御手段は、当該着信に自動応答すると共に、予め登録されている音声メッセージを送信または相手からの音声を録音することを特徴とする非通話機能動作中の着信に自動応答する主装置。
【請求項２】
請求項１に記載の主装置であって、
前記自動応答起動機能登録手段は、前記自動応答制御部を起動すべき非通話機能と関連付けて、前記音声メッセージを自動的に送信するか否かまたは相手からの音声を自動的に録音するか否かを登録することを特徴とする非通話機能動作中の着信に自動応答する主装置。
【請求項３】
請求項１または２のいずれかに記載の主装置であって、
前記自動応答制御手段を起動しない相手電話番号を登録する着信有効電話番号登録手段をさらに有し、
前記着信動作制御手段は、前記非通話機能が起動中の電話端末への着信があった場合に、当該着信の相手電話番号を抽出し、前記抽出した相手電話番号が前記着信有効電話番号登録手段に登録されていたとき、当該電話端末を呼び出すことを特徴とする非通話機能動作中の着信に自動応答する主装置。
【請求項４】
非通話機能を具備し、且つ請求項１に記載の主装置に帰属する電話端末であって、
前記非通話機能が起動したことまたは終了したことを前記主装置へ通知する非通話機能通知手段を有することを特徴とする電話端末。
【発明の詳細な説明】
【技術分野】
【０００１】
本発明は主装置及び電話端末に係り、特にメール通信機能、インターネットアクセス通信機能、ゲーム機能、ボイスメモ録音機能、カメラ機能等の非通話機能が動作する電話端末と、前記電話端末を収容する主装置に関する。
【背景技術】
【０００２】
主装置に帰属した非通話機能が動作する電話端末において、非通話機能に係る端末操作中に主装置からの着信が入る場合がある。この着信に応答すると、それまでの非通話機能に係る端末操作がキャンセルされるのが通例である。
【０００３】
これを改善する技術として、特許文献１には、非通話機能の動作中に着信による割り込みを禁止する技術を開示している。
【０００４】
【特許文献１】特開２００２−２１８０２１号公報
【発明の開示】
【発明が解決しようとする課題】
【０００５】
しかしながら、特許文献１の技術では、着信を無視することとなるため、相手に不快感をあたえると共に、この着信が重要な緊急連絡であればお互いに問題である。
そこで、本発明は、主装置に帰属した電話端末にて非通話機能による端末操作動作を継続したまま、主装置が着信に応答し、非通話機能の端末操作をキャンセルさせない主装置及び電話端末を提供する。
【課題を解決するための手段】
【０００６】
上述した課題は、非通話機能と、非通話機能の動作状態に応じて着信動作を制御する着信動作制御手段と、着信に応答する自動応答制御手段と、自動応答制御手段を起動すべき非通話機能を登録する自動応答起動機能登録手段とを有し、非通話機能が動作している間に着信があった場合に、着信動作制御手段は、着信端末の状態が自動応答起動機能登録手段に登録された機能が動作している状態であるか否かを判定し、登録された機能が動作している状態であると判定したならば、自動応答制御手段を自動的に起動し、自動応答制御手段は、当該着信に自動応答すると共に、予め登録されている音声メッセージを送信するおよび／または相手からの音声を録音する主装置と、非通話機能が起動または終了したことを通知する非通話機能手段を有する電話端末により、達成できる。
【発明の効果】
【０００７】
本発明によれば、非通話機能による端末操作動作を継続したまま、主装置が当該着信に応答し、非通話機能の端末操作をキャンセルさせない主装置及び電話端末を提供できる。
【発明を実施するための最良の形態】
【０００８】
以下、本発明の実施の形態について、実施例を用い図面を参照して説明する。なお、実質同一部位には同じ参照番号を振り、説明は繰り返さない。ここで、図１は主装置に帰属する電話端末の機能ブロック図である。図２は主装置の機能ブロック図である。図３は電話端末の非通話機能が起動時を説明するフローチャートである。図４は電話端末の非通話機能が停止時を説明するフローチャートである。図５は電話端末より非通話機能情報を受信する主装置の動作を説明するフローチャートである。図６は主装置の着信動作を説明するフローチャートである。
【０００９】
図１を参照して、主装置２０（後述）に帰属し、非通話機能の起動または終了を主装置２０通知する電話端末１の構成を説明する。図１において、電話端末１は、アンテナ２と、無線通信処理部３と、音声処理部４と、受話器５と、送話器６と、スピーカ７と、制御部８と、非通話機能制御部８１と、記憶部９と、キー入力部１０と、表示部１１と、電源部１２とから構成される。
【００１０】
主装置２０から送られた無線通信信号は、アンテナ２を介して無線通信処理部３で受信される。受信された無線通信信号は、非通話機能制御部８１に入力され解析される。また、無線通信処理部３で受信された音声信号は、音声処理部４でアナログ音声信号に変換され、受話器５から出力される。
なお、ここでは、主装置と繋がる内線として無線通信処理部３を介した無線接続で説明しているが、内線として通常の有線接続であってもよい。
【００１１】
キー入力部１０で入力された情報は、制御部８に入力される。制御部８は、入力された情報を解析し、主装置に送信すべき情報である場合には、無線通信処理部３、アンテナ２を介して主装置に送信する。また、送話器６に入力された音声は、音声処理部４でＡ/Ｄ変換される。無線通信処理部３は、デジタル変換された音声信号を、アンテナ２を介して主装置に送信する。
【００１２】
スピーカ７は、着信音の出力および拡声受話に使用する。表示部１１は、各種情報を文字や図形で表現する。電源部１２は、各回路に電力を供給する。
【００１３】
図２を参照して、非通話電話機能動作中の着信に自動応答する主装置２０の構成を説明する。図２において、主装置２０は、記憶部２１と、制御部２２と、内線Ｉ／Ｆ部２３と、外線Ｉ／Ｆ部２４と、アクセスポイント２５とから構成される。
内線Ｉ／Ｆ部２３は、自主装置２０に帰属する電話端末を収容するインターフェースであり、図１に示した電話端末１とはアクセスポイント２５を介して無線接続されている。
外線Ｉ／Ｆ部２４はアナログ回線，ＩＳＤＮ回線，ＩＰ回線等の電話網と繋がる外線を収容するインターフェースである。
【００１４】
電話端末１から送られた無線通信信号は、アクセスポイント２５を介して内線Ｉ／Ｆ部２３で受信される。受信された無線通信信号は、非通話機能受信制御部２２２にて解析される。また、非通話機能受信制御部２２２にて解析された結果を機能記憶部２１４にて記憶する。
【００１５】
制御部２２は、着信動作制御部２２１と、非通話機能受信制御部２２２と、自動応答制御部２２３と、音声メッセージ送信部２２４と、音声録音部２２５とから構成される。制御部２２は、内線Ｉ／Ｆ部２３及び外線Ｉ／Ｆ部２４の各部からの入力情報に対する解析や判断および制御、記憶部２１に対する情報の入出力を実行する。着信動作制御部２２１は、主装置への着信に応じて動作を制御する。非通話機能受信制御部２２２は、電話端末１からの非通話機能動作を制御する。自動応答制御部２２３は、電話端末１への着信に自動応答する。自動応答制御部２２３は、音声メッセージ送信部２２４を制御して、予め登録されている音声メッセージを送信する。自動応答制御部２２３は、音声録音部２２５を制御して、相手からの音声を録音する。
【００１６】
記憶部２１は、音声メッセージ記憶部２１１と、自動応答起動登録部２１２と、着信有効電話番号登録部２１３と、機能記憶部２１４とから構成される。音声メッセージ記憶部２１１は、音声案内や相手への伝言メッセージおよび相手からの音声を記憶する。自動応答起動登録部２１２は、非通話機能が動作中の電話端末１への着信に対して動作すべき内容を記憶する。着信有効電話番号登録部２１３は、電話端末１が非通話機能が動作中であっても着信を優先する相手の電話番号を記憶する。機能記憶部２１４は、通常の一時記憶部としての働き、さらに、各種機能の有無などを記憶する。
【００１７】
図３を参照して、電話端末１の非通話機能が起動する際の動作を説明する。図３は電話端末１の非通話機能起動時の動作フローチャートである。
【００１８】
図３において、電話端末１は、非通話機能の起動を待ち受ける（Ｓ３００）。ステップ３００で、非通話機能の起動があったとき（ＹＥＳ）、主装置へ非通話機能毎の起動を通知して（Ｓ３０１）、終了する。
ここで、電話端末１は構内で使用する携帯端末であるが、公衆網でも使用可能な構内／公衆兼用の携帯端末であってもよい。そして、非通話機能とは、例えば、電子メール，カメラ，ボイスメモ，電子ゲーム等、一般の携帯電話等が具備する通話以外の機能通話の全てを指す。
【００１９】
図４を参照して、電話端末１の非通話機能が停止する際の動作を説明する。図４は電話端末１の非通話機能停止時の動作フローチャートである。
【００２０】
図４において、電話端末１は、自端末の非通話機能が起動中であるのかを判定する（Ｓ４００）。ステップ４００で、非通話機能が起動中であったとき（ＹＥＳ）、電話端末は、非通話機能の停止を待ち受ける（Ｓ４０１）。ステップ４０１で非通話機能の停止であったとき（ＹＥＳ）、主装置へ非通話機能の停止を通知して（Ｓ４０２）、終了する。
【００２１】
図５を参照して、主装置２０における、電話端末１の非通話機能の起動または終了の際の動作を説明する。図５は電話端末１の非通話機能が起動または終了する際の主装置２０の動作フローチャートである。
【００２２】
図５において、主装置は、電話端末より非通話機能の通知を受信したか否かを判定する（Ｓ５００）。ステップ５００でＹＥＳのとき、主装置２０は、通知された内容を判定する（Ｓ５０１）。ステップ５０１で通知された内容が起動のとき、非通話機能受信制御部２２２に、電話端末より通知された非通話機能を登録して（Ｓ５０２）、終了する。
【００２３】
ステップ５０１で停止のとき、主装置２０は、非通話機能受信制御部２２２に登録した非通話機能を削除して（Ｓ５０３）、終了する。
【００２４】
図６Ａおよび図６Ｂおよび表１ならびに表２を参照して、主装置に帰属した非通話機能が起動中の電話端末への着信動作を説明する。ここで、表１は着信有効発信電話番号記録表である。また、表２は現在の非通話動作に対応する着信動作を記録する着信動作記録表であり、表１、表２は、自動応答起動登録部２１２に記憶されている。図６Ａおよび図６Ｂは主装置に帰属した非通話機能が動作中の電話端末へ向けての着信時の主装置の着信動作フローチャートである。
【００２５】
表１において、着信有効発信電話番号記録表は、電話端末にて非通話機能動作中にも着信を最優先させる発信元電話番号の一覧であり、ここでは、Ｎｏ．１からＮｏ．４までの４件の発信者番号が登録されている。
【００２６】
表１  着信有効発信電話番号記録表
−−−−−−−−−−−−−−−−−−
Ｎｏ.      発信者番号
−−−−−−−−−−−−−−−−−−
１    ０３−ｘｘｘｘ−ｙｙｙｙ
２    ０３−ａａａａ−ｂｂｂｂ
３    ０４５−ｃｃｃ−ｄｄｄｄ
４    ０５２−ｆｆｆ−ｈｈｈｈ
５              −
６              −
７              −
−−−−−−−−−−−−−−−−−−
表２において、起動動作記録表は、現在動作中の非通話動作と、非通話動作に対応付けられた起動動作とをまとめた表である。ここでは、起動動作には、音声メッセージ送信、音声メッセージ送信＋自動録音、自動録音の３種類である。しかし、これらに限らず、例えばメール表示中には、通常に着信させてもよい。
【００２７】
表２  起動動作記録表
−−−−−−−−−−−−−−−−−−−−−−−−−−−−−−−
Ｎｏ.      現在動作                    起動動作
−−−−−−−−−−−−−−−−−−−−−−−−−−−−−−−
１    メール表示中          音声メッセージ送信
２    メール作成中          音声メッセージ送信＋自動録音
３    インターネット中      自動録音
４    ゲーム中              音声メッセージ送信＋自動録音
５    ボイスメモ録音中      音声メッセージ送信
６    カメラ起動中          音声メッセージ送信＋自動録音
−−−−−−−−−−−−−−−−−−−−−−−−−−−−−−−
【００２８】
図６Ａにおいて、主装置２０は、着信を待ち受ける（Ｓ６００）。ステップ６００で、着信があったとき（ＹＥＳ）、主装置２０は、非通話機能が動作中の電話端末１への着信か否かを判定する（Ｓ６０１）。ステップ６０１でＮＯのとき、主装置は、着信動作（電話端末１の呼び出し）を実行して（Ｓ６０４）、終了する。
【００２９】
ステップ６０１でＹＥＳのとき、主装置２０は、発信者番号が表１の着信有効発信電話番号のいずれかに一致するか判定する（Ｓ６０２）。ステップ６０２でＹＥＳのとき、主装置は、ステップ６０４に遷移する。ステップ６０２でＮＯのとき、主装置は、現在の非通話動作が表２の現在動作にあり、着信動作が指定されているか判定する（Ｓ６０３）。ステップ６０３でＮＯのとき、主装置は、ステップ６０４に遷移する。
【００３０】
ステップ６０３でＹＥＳのとき、主装置２０は、指定されている着信動作の内容を判定する（Ｓ６０５）。なお、非通話機能が動作中に着信があった場合の動作内の指定は記憶部２１内の自動応答機能登録部２１２に予め登録されている。ステップ６０５で音声メッセージ送信のとき、主装置は、着信に自動応答し（Ｓ６０６）、音声メッセージを送信し（Ｓ６０７）、終了する。
【００３１】
ステップ６０５で自動録音のとき、主装置２０は、着信に自動応答し（Ｓ６０８）、自動録音機能を実行し（Ｓ６０９）、終了する。
【００３２】
ステップ６０５で音声メッセージ送信＋自動録音のとき、主装置２０は、着信に自動応答し（Ｓ６１０）、音声メッセージを送信し（Ｓ６１１）、自動録音機能を実行し（Ｓ６１２）、終了する。
【００３３】
本実施例に拠れば、発呼者に不快感を与えることなく電話端末の操作中の非通話機能に応じて着呼に応答でき、しかも着呼者は非通話機能の端末操作を継続できる。さらに、優先度の高い発呼者からの着呼を優先することができる。
【００３４】
なお、本明細書において、電話端末の非通話機能とは、メール通信、インターネットアクセス、ゲーム、録音、録画、カメラ、タイマー、テレビ放送視聴、音楽聴取等の通話を除く機能であり、これらに限られない。
【図面の簡単な説明】
【００３５】
【図１】電話端末の機能ブロック図である。
【図２】主装置の機能ブロック図である。
【図３】電話端末の非通話機能が起動時を説明するフローチャートである。
【図４】電話端末の非通話機能が停止時を説明するフローチャートである。
【図５】電話端末より非通話機能情報を受信する主装置の動作を説明するフローチャートである。
【図６Ａ】主装置の着信動作を説明するフローチャートである。
【図６Ｂ】主装置の着信動作を説明するフローチャートである。
【符号の説明】
【００３６】
１…電話端末、２…アンテナ、３…無線通信処理部、４…音声処理部、５…受話器、６…送話器、７…スピーカ、８…制御部、８１…非通話機能制御部、９…記憶部、１０…キー入力部、１１…表示部、１２…電源部、２０…主装置、２１…記憶部、２１１…音声メッセージ記憶部、２１２…自動応答機能登録部、２１３…着信有効電話番号登録部、２１４…機能記憶部、２２…制御部、２２１…着信動作制御部、２２２…非通話機能受信制御部、２２３…自動応答制御部、２２４…音声メッセージ送信部、２２５…音声録音部、２３…内線Ｉ／Ｆ部、２４…外線Ｉ／Ｆ部、２５…アクセスポイント。
【図１】
2010041456.tif 000003
【図２】
2010041456.tif 000004
【図３】
2010041456.tif 000005
【図４】
2010041456.tif 000006
【図５】
2010041456.tif 000007
【図６Ａ】
2010041456.tif 000008
【図６Ｂ】
2010041456.tif 000009